(57)【要約】      （修正有）【課題】チップカード特に移動電話で使用するための加入者識別モジュール用の簡単に構成される頑丈な接触装置を利用可能にする。【解決手段】チップカード用接触装置１０は、機器に設けられる印刷配線板の導体と接続可能な接触子を保持するプラスチック製接触子担体１１、及び接触子担体１１に揺動可能に結合される金属製蓋１３を持っている。本発明により、蓋１３に実質的にＵ字状の支持殻３１が一体に形成されて、接触子担体１１の軸頸３０と共同作用する。【選択図】図１
2005316989.tif 000002
【特許請求の範囲】
【請求項１】
チップカード（１６）用接触装置（１０）であって、機器に設けられる印刷配線板（３３）の導体と接続可能な接触子を保持するプラスチック製接触子担体（１１）、及び接触子担体（１１）に揺動可能に結合される金属製蓋（１３）を有するものにおいて、蓋（１３）に実質的にＵ字状の支持殻（３１）が一体に形成されて、接触子担体（１１）の軸頸（３０）と共同作用することを特徴とする、チップカード用接触装置。
【請求項２】
支持殻（３１）が蓋（１３）の板から打抜かれていることを特徴とする、請求項１に記載の接触装置。
【請求項３】
軸頸（３０）が接触子担体（１１）に一体に形成されていることを特徴とする、請求項１又は２に記載の接触装置。
【請求項４】
軸頸（３０）が、接触子担体（１１）の縦面に、外方へ向けて設けられていることを特徴とする、請求項１〜３の１つに記載の接触装置。
【請求項５】
実質的にＵ字状の支持殻（３１）が、１８０°より少し大きい周囲角を持っていることを特徴とする、請求項１に記載の接触装置。
【請求項６】
支持殻（３１）が軸頸（３０）上へ係止可能であることを特徴とする、請求項１〜５の１つに記載の接触装置。
【請求項７】
実質的にＵ字状の支持殻（３１）が、１８０°より小さい周囲角を持つ開いた支持殻として構成されていることを特徴とする、請求項１に記載の接触装置。
【請求項８】
支持殻（３１）がその外面を印刷配線板（３３）に支持されることを特徴とする、請求項１〜７の１つに記載の接触子装置。
【請求項９】
蓋（１３）の許容開放角を超過すると、関節結合が自動的に解消される（過負荷保護）ことを特徴とする、請求項１に記載の接触装置。
【請求項１０】
蓋（１３）が、蓋（１３）に設けられる縁曲げ部（３２）により形成されるチップカード用ストッパを持っていることを特徴とする、請求項１に記載の接触装置。
【請求項１１】
約７０°の角度以上に蓋（１３）を開く際、縁曲げ部（３２）が印刷配線板（３３）に衝突することを特徴とする、請求項１０に記載の接触装置。
【請求項１２】
過負荷の際支持殻（３１）が弾性範囲で少し広げられ、軸頸（３０）の破壊又は破断なしに蓋（１３）の釈放が行われることを特徴とする、請求項９〜１１の１つに記載の接触装置。
【請求項１３】
静電放電取出し部を持ち、印刷配線板にあって導電接地される面の押圧に用いられる板ばね（３４）のようなばね素子が、脚辺（３５）により、蓋（１３）の支持殻（３１）の方へ延びる支持殻（３１）の打抜き舌片（３７）の所で滑ることを特徴とする、請求項１に記載の接触装置。
【請求項１４】
蓋（１３）が、上方揺動された状態でもまだ板ばね脚辺（３５）に導電接触できるように、板ばね脚辺（３５）の長さが設定されていることを特徴とする、請求項１３に記載の接触装置。
【請求項１５】
静電放電取出し部を持ち、印刷配線板にあって導電接地される面の押圧に用いられる板ばね（３４）のようなばね素子が、脚辺（３５）により、蓋（１３）の支持殻（３１）の外方へ向く打抜き縁（４０）の所で、押圧接触し、かつこの打抜き縁（４０）の所で滑ることを特徴とする、請求項１に記載の接触装置。
【請求項１６】
板ばね（３５）が始まるばね素子（３４）の部分（３８）が、取付けクリップのように形成され、この板ばねによりはね素子（３４）の部分（３８）が接触子担体（１１）の所へはめられることを特徴とする、請求項１２〜１５の１つに記載の接触装置。
【請求項１７】
ばね素子（３４）の部分（３８）が、印刷配線板にあって導電接地される面の押圧のための下部接触面（３９）を持っていることを特徴とする、請求項１２〜１５の１つに記載の接触装置。
【発明の詳細な説明】
【技術分野】
【０００１】  本発明は、チップカード、特に請求項１の上位概念に記載の移動電話で使用される加入者識別モジュール（ＳＩＭ）カード用接触装置に関する。
【背景技術】
【０００２】  揺動可能な蓋を持つこのような接触装置は、多数の構成で使用され、従って公知である。特許文献においてしばしば不適切にチップカード読取り器、ＳＩＭカード読取り器等とも称される接触装置は、特に電気機器例えば移動電話に収容されている印刷配線板のような回路担体の印刷導体とチップカード又はＳＩＭカードの接触子との電気接触の保持又は準備に役立つ。【０００３】  このような公知の接触装置は、実質的に扁平長方形のプラスチック製接触子担体と、それと揺動可能に結合される特に金属又は金属被覆プラスチック製の蓋とを含んでいる。一般に蓋は、特にその縦縁の適当な形成により、ＳＩＭカードの押込み部を持ち、蓋への導入後蓋の揺動により、このＳＩＭカードが接触子担体の接触子と接触せしめられる。【０００４】  特に移動電話のような電子機器の持続する小形化の範囲内で、この接触装置も常に一層小さく構成されるように設計されねばならない。
【発明の開示】
【発明が解決しようとする課題】
【０００５】  従って本発明の課題は、簡単に構成される頑丈な接触装置を利用可能にすることである。更にその輪郭がチップカード又はＳＩＭカードの輪郭もいずれにせよあまり相違しないようにする。更に接触装置の簡単な構造的構成で、接触子担体も蓋も特定の点を越える蓋の開放の際損傷されることがないように、蓋が接触子担体に枢着されるようにする。本発明の別の局面は、接触装置への最適な接地（静電放電（ＥＳＤ）取出し部）を統合することである。
【課題を解決するための手段】
【０００６】  簡単で頑丈に構成される接触装置は、請求項１の特徴によって与えられ、特に蓋に実質的にＵ字状の支持殻が一体に形成されて、接触子担体の軸頸と共同作用することを特徴としている。【０００７】  支持殻が蓋の板から打抜かれており、軸頸が接触子担体に一体に形成され特に一体に射出成形されていると有利である。望ましい小形化のため、本発明の別の特徴により、軸頸が、接触子担体の縦面に、外方へ向けて設けられていると有利である。【０００８】  本発明のこれらの特徴及びそれ以外の重要な特徴は、残りの従属請求項、以下の詳細な説明及び添付図面からわかる。図面は本発明の実施例を示している。
【発明を実施するための最良の形態】
【０００９】  図において、チップカード特にＳＩＭカード用接触装置は全体を符号１０で示されている。接触装置の主要な部分は、扁平長方形でプラスチックから成る接触子担体１１と、揺動軸線１２を介してこれに可動結合された蓋１３である。【００１０】  特に図５に示すように、接触子担体１１に接触子１５いわゆる読取り接触子が設けられて、一方では印刷配線板３３（図８参照）に導電接続され、他方ではチップカード１６の接触面に接触している。接触子担体１１の端部には、ＳＩＭカードにおいて一般に公知であるように、適当な面取り角と一致する斜めの面１７がおり、ＳＩＭカード１６を正しい姿勢で取り違えないように接触子担体１１へ挿入するための符号化を可能にする。【００１１】  すべての図からわかるように、揺動軸線１２は接触子担体１１の長方形の短辺にあるので、蓋１３は、両方の短辺の１つを介して揺動される。【００１２】  揺動軸線１２は、接触子担体１１の縦辺において外方へ向く２つの軸頸３０により実現され、これらの軸頸３０は接触子担体１１に一体に射出成形され、従って蓋１３に一体に形成されているほぼＵ字状の支持殻３１に対応している。【００１３】  特に図１，５，７及び８に示すように、支持殻３１は、接触子担体１１の１１ａで示す縦縁外にある。他方揺動軸受３０，３１は、チップカード１６が必要とする長さ内に納められている。これは、３２で示す縁曲げ部を別として接触装置１０が、蓋１３の縦側の縁、符号化斜面１７の範囲、及びこの符号化斜面に対向する接触子担体１１の縁において、チップカード又はＳＩＭカードより実際上長くないことを意味する。【００１４】  支持殻３１は、明らかなようにいわゆる開いた軸受である。支持殻３１の周囲角は、いずれにせよ１８０°より少し大きいが、少しそれ以下であってもよい。特に図７及び８からわかるように、支持殻３１の周囲角が１８０°より大きいと、蓋が、接触子担体側軸殻３０上へ支持殻３１が係止されることにより、蓋１３が接触子担体１１に結合される。【００１５】  図示されている好ましい実施例におけるように、支持殻３１の周囲角が１８０°であるか又はそれより少し小さいと、蓋１３の取付けは、図７に示すように印刷配線板３３に対して９０°の蓋位置で、支持殻３１を軸頸３０上へ単にはめることにより行われる。取付けられた状態即ち印刷配線板３３上にろう付けされた状態で、蝶番範囲３０，３１において、蓋１３は支持殻３１の外面を、図８に示す印刷配線板３３により支持される。従って印刷配線板３３は、支持殻３１の外側の対向支持体である。【００１６】  揺動軸線１２を持つ蝶番３０，３１の構成により、許容開き角を越える際、蓋１３及び／又は接触子担体１１が損傷するのを防止される。なぜならば、結合が自動的に解消されるからである（過負荷保護）。【００１７】  ＳＩＭカード用のストッパ止めは、蓋１３に設けられる縁曲げ部３２により行われ、蓋１３を約７０°の角以上に開く際、この縁曲げ部３２が印刷配線板３３と衝突する。それにより生じる力によって、支持殻３１は弾性範囲内で少し広げられ、軸頸３０の破壊又は破断なしに、過負荷の場合における蓋１３の釈放が可能にされる。支持殻３１を広げて蓋１３の取付けは、正し��作動する接触装置を構成する。【００１８】  更に本発明は、簡単な接地に関する。これが図９及び１０により説明される。支持殻３１の打抜き面即ち端面において、ばね素子により静電放電取出し部を設けることができる。この個所が特に有利である。なぜならば、この個所は蓋１３を開くことによってその位置を実際上変化せず、従って簡単なばね素子の作用をよく受けることができるからである。【００１９】  接地は、蓋１３の開き角に関係なく、蝶番３０，３１の所で確実に行うことができる。特別な利点は、第２の人間が、第１の人間により開かれる接触装置を持つ電話機へチップカード１６を差込む時、静電フラッシュオーバによる損傷が回避されることである。【００２０】  図９には、板ばね３４として構成されるばね素子が示され、その板ばね脚辺３５が、支持殻３１へ延びる打抜き舌片３７の内側打抜き縁３６の所で滑る。後方（図９において右方）への板ばね脚辺３５の長さは、蓋１３が上方へ揺動された状態でも、板ばね脚辺３５がこの蓋にまだ充分導電接触できるようにするために、充分である。接触装置の全体幅をできるだけ小さくすることが重要な場合、チップカード１６と支持殻３１との間で板ばね３４が内側にあるこの実施形態は特に有利である。【００２１】  図１０は別の実施形態では、ばね素子３４は同様に板ばね脚辺３５を持っているが、この板ばね脚辺３５は、支持殻３１の外方へ向く打抜き縁４０に押圧接触し、この打抜き縁４０の所で滑る。【００２２】  図９及び１０による両方の場合、板ばね３５から始まるばね素子３４の部分３８は、一種の取付けクリップとして構成され、この取付けクリップにより部分３８が接触子担体１１の所で差込まれる。【００２３】  両方の実施形態において部分３８は、図９及び１０には示されてない印刷配線板にあって導電接地される面の押圧作用のための下部接触面３５を持っている。
【図面の簡単な説明】
【００２４】
【図１】  閉じられた蓋を持つ本発明による接触装置を斜視図で示す。
【図２】  図１による接触装置の側面図を示す。
【図３】  接触装置の閉じられた蓋の平面図を示す。
【図４】  図３の矢印ＩＶの方向に見た図を示す。
【図５】  開かれた蓋を持つ接触装置を斜視図で示す。
【図６】  図５による接触装置の側面図を示す。
【図７】  接触子担体にあって開かれた蓋の枢着範囲の拡大斜視図を示す。
【図８】  閉じられた蓋の枢着範囲の拡大斜視図を示す。
【図９】  統合された接地放電取出し部を持つ接触装置の第１実施例の図８に相当する斜視図を示す。
【図１０】  統合された接地放電取出し部を持つ接触装置の第２実施例の図７に相当する斜視図を示す。
【符号の説明】
【００２５】  １０                接触装置
１１                接触子担体
１３                蓋
１６                チップカード
３０                軸頸
３１                支持殻
３３                印刷配線板
【図１】
2005316989.tif 000003
【図２】
2005316989.tif 000004
【図３】
2005316989.tif 000005
【図４】
2005316989.tif 000006
【図５】
2005316989.tif 000007
【図６】
2005316989.tif 000008
【図７】
2005316989.tif 000009
【図８】
2005316989.tif 000010
【図９】
2005316989.tif 000011
【図１０】
2005316989.tif 000012